(57)【要約】【課題】この発明は石突きの形状が異なっても、確実に取付けられる傘の水受け具を提供することにある。【解決手段】傘Ｕの中棒の先端に設けられた石突き１１に着脱可能に装着される水受け具１であって、上面が開口した水受け容器２と、水受け容器内に立設され石突きが着脱可能に装着されるテーパ状の支持孔７が上端に開口して形成された支持部材４を具備する。【選択図】図５
2017000426.tif 000002
【特許請求の範囲】
【請求項１】
傘の中棒の先端に設けられた石突きに着脱可能に装着される水受け具であって、
上面が開口した水受け容器と、
この水受け容器内に立設され前記石突きが着脱可能に装着されるテーパ状の支持孔が上端に開口して形成された支持部材と
を具備したことを特徴とする傘の水受け具。
【請求項２】
前記支持孔は、前記支持部材の上端から下端にゆくにつれて内径寸法が順次小さくなる複数のテーパ部が段階的に形成されていることを特徴とする請求項１記載の傘の水受け具。
【請求項３】
前記水受け容器の開口部の内周面には、この水受け容器が傾いたときに内部に貯留された雨水が流出するのを阻止するリング部材が設けられていることを特徴とする請求項１記載の傘の水受け具。
【請求項４】
前記支持部材の周壁には、前記周壁を径方向に弾性変形可能な複数の壁部に分割するスリットが、前記支持部材の軸方向に沿って設けられていることを特徴とする請求項１記載の傘の水受け具。
【発明の詳細な説明】
【技術分野】
【０００１】
この発明は傘を畳んだときに、その生地に付着した水滴が車内や室内に落下するのを防止するための傘の水受け具に関する。
【背景技術】
【０００２】
雨天の日に使用した傘を畳んで車内や屋内に入る場合、その傘に付着した雨水が生地の外面を伝わって前記傘の中棒の先端に設けられた石突きから車内のカーペットや屋内の床面に滴下し、それらを汚すということがある。
【０００３】
そこで、車内や屋内に入る際、雨水に濡れた傘を袋状のカバーに入れ、前記石突きから雨水が滴下するのを防止するということが行われている。しかしながら、傘を袋状のカバーに入れて雨水の滴下を防止すると、傘をカバーに入れる際に手や衣服に雨水が付着し易いということがあったり、傘をカバーに入れる作業が煩わしいなどのことがある。さらに、傘を再び使用する際には傘をカバーから取り出さなければならないから、その作業も煩わしいということがあった。
【０００４】
そこで、傘の前記石突きに水受け具を着脱可能に装着し、傘を畳んで車内や屋内に入る場合、その傘に付着して前記石突きから滴下する雨水を前記水受け具に貯えるようにするということが提案されている。
【０００５】
従来、たとえば特許文献１に示される水受け具が提案されている。この水受け具は上面が開口した水受け容器を備えている。この水受け容器の開口端よりもわずかに手前（内方）にはゴム材や軟質プラスチック材などの弾性部材によって形成された帯状の傘支持板が前記水受け容器の径方向に沿って架設されている。
【０００６】
前記傘支持板の中央部には前記石突きが貫通する貫通穴が穿設され、前記水受け容器の内底面には前記石突きが係留する窪み部が形成されている。  
それによって、前記傘の石突きを前記貫通穴に貫通させて先端を前記窪み部に係留させ、前記水受け容器を前記石突きに装着しておくことで、使用した傘を畳んで前記石突きを下方にしたとき、前記傘の生地から前記石突きを伝わって滴下する雨水を前記水受け容器に貯留させることができるようにしている。
【先行技術文献】
【特許文献】
【０００７】
【特許文献１】特開２００１−１７８５１８号公報
【発明の概要】
【発明が解決しようとする課題】
【０００８】
ところで、傘にはたとえば紳士用や婦人用などのように種々の種類があり、さらにそれぞれの種類ごとに異なるサイズのものがある。そして、サイズの違いなどに応じてそれぞれの傘の中棒の先端に設けられる、テーパ状の前記石突きのサイズ、つまり径や長さに違いがある。
【０００９】
そこで、特許文献１では中央部に前記貫通穴が穿設された前記傘支持板を前記水受け容器の径方向に沿って架設し、前記貫通穴に前記石突きを貫通させて前記水受け具を前記石突きに取着するようにしている。
【００１０】
しかしながら、そのような構成であると、前記石突きのサイズが異なると、前記傘支持板が弾性部材で形成されていても、前記貫通孔の大きさによって前記石突きが前記貫通孔に対して緩かったり、きつ過ぎるということが生じる。
【００１１】
前記石突きが前記貫通孔に対して緩い場合、前記水受け具を前記石突きに確実に装着できないため、傘を畳んで石突きを下に向けたとき、前記水受け具が前記石突きから外れてしまうということがある。その場合、前記水受け容器に貯えられた雨水が車内や屋内の床などに散乱してしまうということになる。
【００１２】
前記石突きが前記貫通孔に対してきつ過ぎる場合、前記傘支持板が弾性部材で形成されていても、その石突きを前記貫通孔に貫通させることができなかったり、前記貫通孔に無理に貫通させようとすると、前記傘支持板に大きな力を加え過ぎ、損傷させてしまうということがある。
【００１３】
さらに、前記貫通孔の径に対して前記石突きの太さが丁度合う場合であっても、前記石突きの長さが短いと、前記石突きを前記貫通孔に押し込んだ際、前記石突きの先端が前記水受け容器の内底面の窪み部に当り難いため、弾性部材によって形成された前記傘支持板の貫通孔が弾性変形して拡がるということがある。
【００１４】
その場合、前記石突きの根元にある菊座まで前記貫通孔内に入り込んでしまうことがあるから、そのような場合には、傘の親骨が前記貫通孔によって押えられた状態となって使用時に傘を円滑に開くことができないということもある。
【００１５】
この発明は、石突きのサイズが異なる場合であっても、その石突きに確実に装着できるようにした傘の水受け具を提供することにある。
【課題を解決するための手段】
【００１６】
この発明は、傘の中棒の先端に設けられた石突きに着脱可能に装着される水受け具であって、
上面が開口した水受け容器と、
この水受け容器内に立設され前記石突きが着脱可能に装着されるテーパ状の支持孔が上端に開口して形成された支持部材と
を具備したことを特徴とする傘の水受け具。
【００１７】
前記支持孔は、前記支持部材の上端から下端にゆくにつれて内径寸法が順次小さくなる複数のテーパ部が段階的に形成されていることが好ましい。
【００１８】
前記水受け容器の開口部の内周面には、この水受け容器が傾いたときに内部に貯留された雨水が流出するのを阻止するリング部材が設けられていることが好ましい。
【発明の効果】
【００１９】
この発明によれば、支持部材にテーパ状の支持孔が形成されているため、傘の種類などによって石突きの太さや長さなどの外形寸法に違いがあっても、その石突きを前記支持孔に確実かつ容易に装着することができる。
【図面の簡単な説明】
【００２０】
【図１】この発明の第１の実施の形態を示す、閉じた傘の石突きに水受け具を取付けた状態の図。
【図２】前記水受け具が取付けられた前記傘を開いた状態の図。
【図３】前記水受け具を拡大して示す縦断面図。
【図４】前記水受け具の平面図。
【図５】前記水受け具の支持部材に形成された支持孔に前記傘の石突きを差し込んだ状態を拡大して示す縦断面図。
【図６】前記水受け具の支持部材に形成された支持孔に図５に示す前記傘の石突きと異なる形状の石突きを差し込んだ状態を拡大して示す縦断面図。
【図７】この発明の第２の実施の形態の水受け具を拡大して示す縦断面図。
【図８】この発明の第３の実施の形態の水受け具を拡大して示す縦断面図。
【発明を実施するための形態】
【００２１】
以下、この発明の実施の形態を図面を参照しながら説明する。  
図１乃至図６はこの発明の第１の実施の形態を示す。図１は傘Ｕを閉じた状態で水受け具１を取り付けた状態を示し、図２は水受け具１が取り付けられた傘Ｕを開いた状態を示している。
【００２２】
図３は前記水受け具１の拡大断面図であって、この水受け具１は水受け容器２を備えている。この水受け容器２はたとえは比較的硬質な合成樹脂によって上面が開口した開口面２ａを有するお椀形状に形成されている。
【００２３】
なお、前記水受け容器２の上面とは、前記水受け具１を図１に示すように傘Ｕの先端を下に向け、その先端に前記水受け容器２を取付けときに上となる面のことである。
【００２４】
前記水受け容器２の底部には外方に突出する円筒状の突出部３が一体成形されている。この突出部３には前記水受け容器２と同様、比較的硬質な合成樹脂によって形成された円柱状の支持部材４が下端部を前記突出部３内に嵌合させ、接着剤などで固定して一体的に設けられている。つまり、前記支持部材４は前記水受け容器２内にほぼ垂直な状態で立設されている。
【００２５】
なお、前記支持部材４は、硬質な合成樹脂に代わって前記水受け容器２よりも軟質な合成樹脂やゴムなどの弾性材料によって形成するようにしてもよい。また、前記支持部材４と前記水受け容器２は、合成樹脂やゴムなどの材料によって一体成形するようにしてもよい。
【００２６】
前記水受け容器２の上部内周面であって、前記開口面２ａより内方（下方）の位置にはリング部材６が一体的に設けられている。このリング部材６の上面、つまり前記開口面２ａ側に向いた一方の面である上面は、前記水受け容器２の径方向内方に向かって低く傾斜した傾斜面６ａに形成されている。
【００２７】
前記リング部材６の他方の面である下面には、上面に形成された前記傾斜面６ａと逆方向、つまり前記水受け容器２の径方向内方に向かって高く傾斜した傾斜面６ｃに形成されている。
【００２８】
なお、前記支持部材４の上端は前記水受け容器２の開口面２ａよりも低い位置であって、前記リング部材６よりも高い位置になるよう、長さ寸法が設定されている。  
前記支持部材４の外形寸法は、前記リング部材６の内径寸法よりも小さく設定されている。つまり、前記支持部材４の外周面と、前記リング部材６の内周面との間には後述するように傘Ｕから滴下する雨水を前記水受け容器２内に滴下させるに十分な流路６ｂが確保されている。
【００２９】
前記支持部材４には、その上端面に開口した支持孔７が形成されている。この支持孔７はテーパ角度の異なる第１のテーパ部７ａと、この第１のテーパ部７ａとテーパ角度及び長さがほぼ同じであって、内径寸法が前記第１のテーパ部７ａよりも小さい第２のテーパ部７ｂが傾斜面８を介して段階的に形成されてなる。つまり、第１のテーパ部７ａの下端の内径寸法に対し、第２のテーパ部７ｂの上端の内径寸法が小さくなるよう設定されている。
【００３０】
この実施の形態では、第１のテーパ部７ａと第２のテーパ部７ｂのテーパ角度を同じにし、第１のテーパ部７ａの内径寸法に比べて第２のテーパ部７ｂの内径寸法を小さくしているが、第１のテーパ部７ａのテーパ角度と、第２のテーパ部７ｂのテーパ角度を違えてもよい。たとえば、第１のテーパ部７ａのテーパ角度を、第２のテーパ部７ｂのテーパ角度よりも大きくしたり、小さくしたりしてもよい。また、前記第１のテーパ部７ａと第２のテーパ部７ｂとの長さも同じでなく、どちらかを一方を他方に対して長くしたり、短くするなどしてもよい。
【００３１】
このように構成された水受け具１は、図２に示すように傘Ｕの中棒１０の先端に設けられた石突き１１に取付けて使用される。つまり、図１に示すように前記水受け具１の前記支持部材４の支持孔７に前記石突き１１を差し込んで使用される。
【００３２】
前記傘Ｕの石突き１１は、通常、先端に行くにつれて細くなるテーパ状に形成されている。そのため、図５に示すように前記石突き１１の太さが前記支持孔７の第１のテーパ部７ａとほぼ同じであれば、前記石突き１１はその先端部分が前記第１のテーパ部７ａに嵌合する。
【００３３】
それによって、前記石突き１１を前記水受け具１の前記支持孔７にがた付くことなく確実に取付けることができるから、図１に示すように閉じた傘Ｕの前記石突き１１に前記水受け具１を取付けた状態で、前記水受け具１が外れ落ちることなく、前記傘Ｕを持ち歩くことができる。
【００３４】
つまり、前記石突き１１の太さが前記第１のテーパ部７ａとほぼ同じであれば、その長さに係らず、前記第１のテーパ部７ａに確実に取付けることができる。
【００３５】
前記水受け具１を前記石突き１１に取付けた状態で、図２に示すように傘Ｕを開いて使用した後、車に乗ったり、屋内に入る際などには、図１に示すように前記傘Ｕを閉じ、その傘Ｕの石突き１１を下に向ける。
【００３６】
すると、前記傘Ｕの生地１２に付着した雨水はその生地１２及び前記石突き１１を伝わって前記支持部材４と前記リング部材６との間の流路６ｂを通り、前記水受け具１の前記水受け容器２内に貯留されることになる。
【００３７】
前記生地１２に付着した雨水の一部は、前記水受け容器２の開口面２ａより下方の位置に設けられたリング部材６の上面に滴下することもある。前記リング部材６の上面は傾斜面６ａに形成されている。
【００３８】
そのため、その雨水は前記傾斜面６ａを円滑に流れて前記水受け容器２に確実に流入するから、前記リング部材６の上面に溜まるようなことがない。
【００３９】
前記リング部材６の下面は上面と逆向きの傾斜面６ｃに形成されている。それによって、図２に示すように傘Ｕを開き、石突き１１に取付けられた前記水受け具１を逆向きにしたとき、前記水受け容器２内の雨水は前記リング部材６の傾斜面６ｃに沿って円滑に流出することになる。
【００４０】
前記生地１２に付着した雨水を前記水受け容器２内に迅速に貯留させたい場合がある。そのような場合、前記傘Ｕの手元１３を持って、前記石突き１１に装着された水受け具１の前記水受け容器２の下端に突出形成された突出部３で地面を軽く叩く。それによって、傘Ｕの生地１２に付着した雨水を迅速に前記水受け容器２内に回収することができる。
【００４１】
前記石突き１１と前記水受け容器２は前記支持部材４を介して一体的となっている。そのため、前記水受け容器２の下端に突出形成された前記突出部３によって地面を叩く際、前記水受け容器２を変形させるようなことなく、前記突出部３を地面に突き当てることができる。
【００４２】
前記水受け容器２内に雨水が回収された状態において、たとえば車内や屋内に入り込む際に傘Ｕを傾けてしまうようなことがあり、そのような場合には前記水受け容器２に貯留された雨水が流れ出る虞がある。
【００４３】
しかしながら、前記水受け容器２の上部内周面には前記リング部材６が設けられている。そのため、前記水受け容器２がある程度傾斜しても、前記リング部材６によって前記水受け容器２内の雨水が流出するのが阻止され、車内のマットや屋内の床面などを不用意に汚すのを防止できる。
【００４４】
前記石突き１１に装着された支持部材４は、前記水受け容器２と一体となっている。そのため、前記水受け容器２を前記石突き１１の一部のようにして使用することができる。つまり、傘Ｕを閉じた状態で、前記水受け容器２の突出部３で地面を突いても、前記水受け容器２が変形するようなことがないから、前記水受け容器２を前記石突き１１の一部と同じように使用することができる。
【００４５】
それによって、前記石突き１１に前記水受け具１が取付けられた状態であっても、前記傘Ｕを安定した状態で杖代わりに使用することができる。
【００４６】
一方、前記傘Ｕの石突き１１の太さが前記支持孔７の第１のテーパ部７ａよりも細く、前記第２のテーパ部７ｂとほぼ同じであれば、図６に示すように前記石突き１１は先端部分が前記第１のテーパ部７ａに嵌合せず、前記第２のテーパ部７ｂに嵌合する。
【００４７】
それによって、前記石突き１１に前記水受け具１をがた付くことなく確実に取付けることができるから、前記水受け具１を前記石突き１１に取付けた状態で前記傘Ｕを持ち歩いても、前記水受け具１が外れ落ちるのが防止される。
【００４８】
この場合も、前記石突き１１と前記水受け容器２が前記支持部材４を介して一体的であるから、前記水受け容器２が取付けられた前記傘Ｕを杖の代わりとして確実に使用するなどのことができる。
【００４９】
このように、前記支持部材４の支持孔７に、前記第１のテーパ部７ａ及び前記第１のテーパ部７ａよりも内径寸法が小さい第２のテーパ部７ｂを順次形成したため、傘Ｕの石突き１１の太さや長さが異なる場合であって、それらの石突き１１に前記水受け具１の水受け容器２を確実に取付けることができる。
【００５０】
つまり、前記石突き１１の長さに係らず、その太さが前記第１のテーパ部７ａとほぼ同じであれば、前記第１のテーパ部７ａに確実に取付けることができ、前記第２のテーパ部７ｂとほぼ同じであれば、前記第２のテーパ部７ｂに確実に取付けることができる。
【００５１】
前記支持部材４を、硬質な合成樹脂に代わって弾性部材によって形成すれば、前記石突き１１の太さが前記第１のテーパ部７ａ或いは前記第２のテーパ部７ｂの内径と多少異なっていても、前記支持部材４が弾性変形する範囲内で、前記石突き１１を前記支持部材４に取付けることができる。
【００５２】
その場合、前記支持部材４は下端部を前記水受け容器２の底部に形成された突出部３を嵌合させて一体的となっているから、前記支持部材４を弾性変形させすぎて損傷させるのを防止できる。
【００５３】
なお、第１の実施の形態では支持孔７を第１のテーパ部７ａと第２のテーパ部７ｂとの２つのテーパ部で形成したが、前記支持孔７は３つあるいはそれ以上の、異なる内径のテーパ部によって形成するようにしてもよい。その場合、前記複数のテーパ部は、前記支持部材４の上端から下端に行くにつれて内径寸法が順次小さくなるよう形成される。
【００５４】
図７はこの発明の第２の実施の形態を示す。この第２の実施の形態は、前記支持部材４に形成される支持孔７が１つのテーパ部、つまり１つのテーパ角度となっている。前記支持部材４は第１の実施の形態と同様、比較的硬質な合成樹脂、或いは弾性材料などによって形成されている。
【００５５】
前記支持部材４の支持孔７を１つのテーパ角度とした場合、石突き１１の長さや太さが異なっても、前記支持孔７とテーパ角度がほぼ同じで、先端部が前記支持孔７に入り込む太さであれば、その石突き１１を前記支持孔７に確実に取付けることができる。
【００５６】
第２の実施の形態の前記支持部材４を弾性材料によって形成すれば、支持孔７がテーパ角度の異なる複数のテーパ部によって形成されていなくとも、前記支持部材４が弾性変形する範囲内で、テーパ角度が異なる石突き１１を取付けることが可能である。
【００５７】
図８はこの発明の第３の実施の形態を示す。この第３の実施の形態は、図７に示す第２の実施の形態の変形例であって、前記支持孔７が形成された前記支持部材４の周壁には、この周壁を周方向に複数の壁部４ａ、この実施の形態では３つの壁部４ａに分割する３つのスリット１５（１つだけ図示）が周方向に１２０度間隔で、軸方向に沿って形成されている。
【００５８】
前記支持部材４は合成樹脂などの弾性変形可能な材料によって形成されている。それによって、傘Ｕの石突き１１が、先端部は前記支持孔７に入り込むが、テーパ角度が前記支持孔７よりも大きく、先端部分以外の部分が前記支持孔７よりも大径な場合であっても、前記石突き１１を前記支持孔７に押し込めば、前記支持部材４の前記壁部４ａが径方向外方に弾性変形する。
【００５９】
したがって、上述した形状の石突き１１であっても、前記石突き１１を前記支持孔７に確実に挿入して保持することができる。
【００６０】
なお、第３の実施の形態において、支持部材７の周壁を３つの壁部４ａに分割したが、２つあるいは４つ以上の壁部に分割してもよく、その数は限定されるものではない。
【００６１】
この第３の実施の形態では、第２の実施の形態の支持孔７が形成された支持部材４に適用した例を挙げて説明したが、第１の実施の形態に示された第１のテーパ部７ａと第２のテーパ部７ｂとによって支持孔７を形成した第１の実施の形態にも適用することができる。
【符号の説明】
【００６２】
２…水受け容器、３…突出部、４…支持部材、６…リング部材、７…支持孔、７ａ…第１のテーパ部、７ｂ…第２のテーパ部、１１…石突き、１２…生地、Ｕ…傘。
【図１】
2017000426.tif 000003
【図２】
2017000426.tif 000004
【図３】
2017000426.tif 000005
【図４】
2017000426.tif 000006
【図５】
2017000426.tif 000007
【図６】
2017000426.tif 000008
【図７】
2017000426.tif 000009
【図８】
2017000426.tif 000010
【手続補正書】
【提出日】平成27年6月17日(2015.6.17)
【手続補正１】
【補正対象書類名】明細書
【補正対象項目名】００２２
【補正方法】変更
【補正の内容】
【００２２】
図３は前記水受け具１の拡大断面図であって、この水受け具１は水受け容器２を備えている。この水受け容器２はたとえば比較的硬質な合成樹脂によって上面が開口した開口面２ａを有するお椀形状に形成されている。
【手続補正２】
【補正対象書類名】明細書
【補正対象項目名】００２３
【補正方法】変更
【補正の内容】
【００２３】
なお、前記水受け容器２の上面とは、前記水受け具１を図１に示すように傘Ｕの先端を下に向け、その先端に前記水受け容器２を取付けたときに上となる面のことである。
【手続補正書】
【提出日】平成28年7月22日(2016.7.22)
【手続補正１】
【補正対象書類名】明細書
【補正対象項目名】００１６
【補正方法】変更
【補正の内容】
【００１６】
この発明は、傘の中棒の先端に設けられた石突きに着脱可能に装着される水受け具であって、
上面が開口した水受け容器と、
この水受け容器内に下端を固定して立設され前記石突きが着脱可能に装着されるテーパ状の支持孔が上端に開口して形成された支持部材と、
前記支持部材の周壁に軸方向に沿って設けられて前記周壁を径方向に弾性変形可能な複数の壁部に分割し、前記石突きのテーパ角度が前記支持孔のテーパ角度よりも大きな場合に、前記壁部を径方向外方に弾性変形させて前記石突きを前記支持孔に支持するスリットと
を具備したことを特徴とする傘の水受け具にある。
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
傘の中棒の先端に設けられた石突きに着脱可能に装着される水受け具であって、
上面が開口した水受け容器と、
この水受け容器内に下端を固定して立設され前記石突きが着脱可能に装着されるテーパ状の支持孔が上端に開口して形成された支持部材と、
前記支持部材の周壁に軸方向に沿って設けられて前記周壁を径方向に弾性変形可能な複数の壁部に分割し、前記石突きのテーパ角度が前記支持孔のテーパ角度よりも大きな場合に、前記壁部を径方向外方に弾性変形させて前記石突きを前記支持孔に支持するスリットと
を具備したことを特徴とする傘の水受け具。
【請求項２】
前記水受け容器の開口部の開口面よりも下方の内周面には、この水受け容器が傾いたときに内部に貯留された雨水が流出するのを阻止するリング部材が設けられていることを特徴とする請求項１記載の傘の水受け具。